【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
ｉ）  中心軸周りに回転可能な少なくとも一つの平面捕獲体を備える真空コンテナであって、前記捕獲体が該捕獲体の中心軸周りに実質的に同心円状に配置される複数の通り抜け入口を備え、それぞれの入口の直径が検出されるビーズの平均径よりも小さい、真空コンテナ、
ｉｉ）  該真空コンテナ中の圧力を制御可能な圧制御デバイス、
ｉｉｉ）  前記複数の入口を囲むガイドチャネル；
ｉｖ）  該真空コンテナを該捕獲体の軸周りに回転させるためのデバイス、および
ｖ）  前記ビーズの無線コードを決定するための検出デバイス
を備え；かつ
該平面捕獲体が平面配置から少なくとも１５°傾けられて配置され、該検出デバイスがガイドチャネルの上半分にまたはガイドチャネルの上半分にごく近接して位置決めされる、複数の球状無線識別ビーズ分析装置。
【請求項２】
ｉ）  中心軸周りに回転可能な少なくとも一つの平面捕獲体を備える真空コンテナであって、前記捕獲体が該捕獲体の中心軸周りに実質的に同心円状に配置される複数の通り抜け入口を備え、それぞれの入口の直径が検出されるビーズの平均径よりも小さい、真空コンテナ
ｉｉ）  該真空コンテナ中の圧力を制御可能な圧制御デバイス、
ｉｉｉ）  前記複数の入口を囲むガイドチャネル；
ｉｖ）  該捕獲体の軸周りに真空コンテナを回転させるためのデバイス、および
ｖ）  無線電磁照射送受信のための複数のアンテナを備え、前記アンテナの少なくともいくつかが前記捕獲体のそれぞれの通り抜け入口に位置決めされている、前記ビーズの無線コードを決定するための検出デバイス
を備える、複数の球状無線識別ビーズ分析装置。
【請求項３】
ｉ）  中心軸周りに回転可能な少なくとも一つの平面捕獲体を備える真空コンテナであって、前記捕獲体が該捕獲体の中心軸周りに実質的に同心円状に配置される複数の通り抜け入口を備え、それぞれの入口の直径が検出されるビーズの平均径よりも小さい、真空コンテナ、
ｉｉ）  該真空コンテナ中の圧力を制御可能な圧制御デバイス、
ｉｉｉ）  複数の入口を囲むガイドチャネル；
ｉｖ）  該真空コンテナを該捕獲体の軸周りに回転させるためのデバイス、および
ｖ）  周波数２．２〜２．７ＧＨｚにおいて作動する無線電磁照射送受信のための少なくとも一つのアンテナを備える、前記ビーズの無線コードを決定するための検出デバイス
を備える、複数の球状無線識別ビーズ分析装置。
【請求項４】
ａ）操作されるビーズの平均径と、ｂ）通り抜け入口の直径と、の比Ｒ、Ｒ＝ａ／ｂが２〜１００である、請求項１〜１６のいずれか一項に記載の装置。
【請求項５】
該捕獲体が平面ディスクである、請求項１〜４のいずれか一項に記載の装置。
【請求項６】
該捕獲体の回転軸と該捕獲体のそれぞれの通り抜け入口との距離が、捕獲体のそれぞれの通り抜け入口に関して同一である、請求項１〜５のいずれか一項に記載の装置。
【請求項７】
隣接通り抜け入口間の距離が隣接通り抜け入口の全ての対に関して同じである、請求項６に記載の装置。
【請求項８】
更に、遠位末端において該捕獲体を支持し、近位末端において中空シャフトに接続されている円形捕獲体支持体であって、該真空コンテナの内部に真空が適用され得るように、該中空シャフトがシャフト開口を取り付けられている、円形捕獲体支持体を備える、請求項１〜７のいずれか一項に記載の装置。
【請求項９】
更に、シャフト孔と圧制御デバイスとを接続する開口を備える外部シリンダー、および通り抜け入口が該捕獲体上に装填されるビーズに接近できるようにする少なくとも一つの開口を備えるガイドプレートを備える真空コンテナハウジングを備え、前記ガイドプレートが該外部シリンダーの上部に取り付けられ、それによって、ガイドプレートと捕獲ディスクとの間の空間にビーズを内部にもつためのガイドチャネル画定しており、前記ガイドプレートが真空コンテナを真空コンテナハウジングの内部にとどめている、請求項８に記載の装置。
【請求項１０】
真空コンテナを回転させるためのデバイス、例えば、運動量をステッピングモーターから真空コンテナに移動させ、それによって真空コンテナを制御された段階的方法で回転させるための運動量移動スプリットに作動可能に結合されたステッピングモーター、に該真空コンテナが接続されている、請求項１〜９のいずれか一項に記載の装置。
【請求項１１】
該圧制御デバイスがポンプを備える、請求項１〜１０のいずれか一項に記載の装置。
【請求項１２】
該検出デバイスが無線電磁照射送受信のための少なくとも一つのアンテナを備える、請求項１〜１１のいずれか一項に記載の装置。
【請求項１３】
該検出デバイスが、それぞれのアンテナの軸が通り抜け入口位置の方向を向き、かつ、前記捕獲体の面に対して４５°〜９０°の角度で傾くように固定されている無線電磁照射送受信のための複数のアンテナを備える、請求項１２に記載の装置。
【請求項１４】
前記複数が、３、４および５からなる群から選択される数であり、前記アンテナの向きが、通り抜け入口に位置決めされたビーズが複数の異なる角度から分析されることを可能にする、請求項１３に記載の装置。
【請求項１５】
前記アンテナが通り抜け入口までの距離０．５〜５ｍｍにある、請求項１２〜１４のいずれか一項に記載の装置。
【請求項１６】
更に、該ビーズの無線コードの決定により生じる結果を分析するための分析デバイスを備え、該分析が個々のビーズが識別され、要すれば更に分類されることを可能にする、請求項１〜１５のいずれか一項に記載の装置。
【請求項１７】
該分析デバイスが、データ分析プログラム実行能力を有するコンピュータ並びに／または該検出デバイスおよび／もしくは該分析デバイスによって生じるデータを記憶するためのデータ記憶媒体を備える、請求項１６に記載の装置。
【請求項１８】
更に、該分析デバイスによって生じる結果に基づいて複数のビーズを分類するための少なくとも一つのデバイスを備える、請求項１６および１７のいずれか一項に記載の装置。
【請求項１９】
該分類デバイスが、複数のビーズを画分に分けるための複数の分類チャネルおよび該分析デバイスによって生じる結果に従って該捕獲体から該複数のビーズの少なくとも一つを押し出すための少なくとも一つのビーズ追出デバイスを備える、請求項１８に記載の装置。
【請求項２０】
該少なくとも一つのビーズ追出デバイスが、少なくとも一つのビーズを吸引によってその捕獲孔から物理的に取り除くためのシリンダー並びにシリンダーの内部への真空の接続および切り離し用バルブを備える、請求項１９に記載の装置。
【請求項２１】
該少なくとも一つのビーズ追出デバイスが、少なくとも一つのビーズをその捕獲孔から物理的に取り除くためのビーズ追出体、および該ビーズ追出体を空間的に操作するためのデバイスを備える、請求項１９に記載の装置。
【請求項２２】
該ビーズ追出体が磁性材料を含有し、かつ、該ビーズ追出体を空間的に操作するためのデバイスが電磁石を含有する、請求項２１に記載の装置。
【請求項２３】
該少なくとも一つのビーズ追出デバイスが、少なくとも一つのビーズをその捕獲孔から吹き払うためのシリンダー、ビーズをその通り抜け入口から吹き払うための流れを生じるための高圧流体源、および前記シリンダーを前記高圧流体源に接続するためのバルブを備える、請求項１９に記載の装置。
【請求項２４】
更に、任意に検出または分析にさらされていてもよい少なくとも一つのビーズを処理するための処理デバイスを備える、請求項１〜２３のいずれか一項に記載の装置。
【請求項２５】
該処理デバイスが、個々の化学的成分を処理セクションに移すための少なくとも一つのチューブによって処理セクションに接続されている、化学的成分を含有する複数の区画を備える、請求項２４に記載の装置。
【請求項２６】
更に、ビーズを捕獲ディスク上に装填するためのビーズ装填デバイスを備える、請求項１〜２５のいずれか一項に記載の装置。
【請求項２７】
該ビーズ装填デバイスが、捕獲ディスク上に装填されるビーズの分散体を含有するシリンジポンプを備える、請求項２６に記載の装置。
【請求項２８】
更に、該捕獲ディスクからビーズを取り外すためのビーズ取り外しデバイスを備える、請求項１〜２７のいずれか一項に記載の装置。
【請求項２９】
該ビーズ取り外しデバイスが、該捕獲体の回転通り抜け入口によって定められる軌道中に、該捕獲ディスクの表面から平均ビーズ径の半分以下の所定の距離に位置決めされる、ビーズを通り抜け入口から物理的に取り除くためのブロックデバイスを備える、請求項２８に記載の装置。
【請求項３０】
該ビーズ取り外しデバイスが、ビーズを該通り抜け入口から物理的に取り除き、次に該捕獲体から取り除くための吸引デバイスを備える、請求項２８に記載の装置。
【請求項３１】
該ビーズ取り外しデバイスが、該ビーズを該通り抜け入口から物理的に取り除くためのブロックデバイスおよび該ビーズを該捕獲体から取り除くための吸引デバイスを備える、請求項２８に記載の装置。
【請求項３２】
該吸引デバイスが、ポンプおよび該捕獲体から取り除かれるビーズを保持するためのフィルタを備える、請求項３０および３１のいずれか一項に記載の装置。
【請求項３３】
更に、非捕獲ビーズを捕獲ビーズからフラッシュするための過剰ビーズフラッシュデバイスを備える、請求項１〜３２のいずれか一項に記載の装置。
【請求項３４】
該過剰ビーズフラッシュデバイスが、ポンプおよび、該捕獲ディスク中の回転通り抜け入口によって定められる軌道に近接して、該捕獲体の表面から平均ビーズ径よりも長い距離に位置決めされる分散液出口を備える、請求項３３に記載の装置。
【請求項３５】
該ガイドプレートが、該捕獲体上にビーズを装填するための装填セクションおよび該捕獲体からビーズを取り除くための取り外しセクションからなる群から選択されるセクションをそれぞれ定める複数の開口備える、請求項９〜３４のいずれか一項に記載の装置。
【請求項３６】
更に、過剰ビーズを取り外すための過剰ビーズ取り外しセクション、捕獲ビーズから非捕獲ビーズをフラッシュするためのフラッシュセクション、および複数のビーズから少なくとも一つのビーズを分けるための分類セクションからなる群から選択されるガイドプレート開口を備える、請求項３５に記載の装置。
【請求項３７】
該捕獲ディスクの回転方向において、互いに対してセクションの向きが、過剰ビーズ取り外しセクション（存在する場合）、ビーズ装填セクション、過剰ビーズフラッシュセクション（存在する場合）、分類セクション（存在する場合）、およびビーズ取り外しセクションの順に定められる、請求項３５および３６のいずれか一項に記載の装置。
【請求項３８】
ｉ）  第一液を提供する工程、
ｉｉ）  重合されるモノマー、および任意に、界面活性剤を含有し、かつ、第一液と非混和性である第二液を提供する工程、
ｉｉｉ）  周波数２．２〜２．７ＧＨｚにおいて作動し、任意に重合開始剤でコーティングされていてもよい、第二液に分散可能な複数の無線チップを提供する工程、
ｉｖ）  前記第一液、前記第二液および前記複数の無線チップを、前記無線チップが前記第二液の液滴中に分散するエマルジョンが形成されるように任意の順序で混合する工程、
ｖ）  要すれば、工程ｉｉｉ）において提供されていない場合、開始剤を導入する工程、並びに、
ｖｉ）  埋め込まれた無線チップを有する球状ポリマービーズの形成を可能にする工程
を包含する、複数の球状無線識別ポリマービーズを含有する組成物の製造方法。
【請求項３９】
ｉ）  第一液材料の第一の流れを提供する工程、
ｉｉ）  ポリマー形成に関する、第一液材料と非混和性であるモノマー、周波数２．２〜２．７ＧＨｚにおいて作動する複数の無線チップおよび任意に界面活性剤を含有する第二の流れを、前記第一液材料の第一の流れに導入する工程、
ｉｉｉ）  無線チップを埋め込んだ球状液滴が形成されるように、前記第二の流れを調節する工程、並びに、
ｉｖ）  前記液滴からの無線チップを埋め込んだ球状ポリマービーズの形成を可能にする工程
を包含し、更に、液滴の形成と同時にまたは液滴の形成後に重合が開始されるように開始剤の添加または開始剤の活性化が時間を定められている、上記工程の一つの間の重合開始剤の添加を包含する、複数の球状無線識別ポリマービーズを含有する組成物の製造方法。
【請求項４０】
複数の球状ビーズを含有する組成物であって、周波数２．２〜２．７ＧＨｚにおいて作動する無線チップが前記ビーズのそれぞれに埋め込まれ、かつ、本質的に前記ビーズのそれぞれが無線識別に基づいて個々に識別可能である組成物。
【請求項４１】
前記ビーズの表面が親水性部分を備える、請求項４０に記載の組成物。
【請求項４２】
前記ビーズのコアおよび／または表面が、ポリエーテル、ポリビニル、ポリアクリレート、ポリアシルアミドポリアクリルアミド、ポリスチレン、ポリカーボネート、ポリエステルおよびポリアミドからなる群から選択される高分子材料を含有する、請求項４０〜４１のいずれか一項に記載の組成物。
【請求項４３】
該ビーズが、ＳＰＯＣＣ、ＰＥＧＡ、ＨＹＤＲＡ、ＰＯＥＰＯＰ、ＰＥＧ−ポリアクリレートコポリマー、ポリエーテル−ポリアミンコポリマー、および架橋ポリエチレンジアミンからなる群から選択されるポリマーを含有する、請求項４０〜４２のいずれか一項に記載の組成物。
【請求項４４】
該無線チップが中間相を介してビーズ内に埋め込まれている、請求項４０〜４３のいずれか一項に記載の組成物。
【請求項４５】
前記ビーズの球形がアスペクト比が０．８〜１．２である、請求項４０〜４４のいずれか一項に記載の組成物。
【請求項４６】
本質的に前記ビーズのそれぞれが体積０．０４ｍｍ３〜４ｍｍ３を有する、請求項４０〜４５のいずれか一項に記載の組成物。
【請求項４７】
請求項３８および３９のいずれか一項に記載の方法によって得られる複数の無線識別ポリマービーズを含有する組成物。
【請求項４８】
コンビナトリアルケミストリーライブラリーおよび／または固相コンビナトリアルライブラリーの合成への、請求項４０〜４６のいずれか一項に記載の組成物または請求項４７に記載の組成物の使用。
【請求項４９】
診断法への、請求項４０〜４６のいずれか一項の組成物または請求項４７に記載の組成物の使用。
【請求項５０】
アニマルトラッキングへの、請求項４０〜４６のいずれか一項に記載の組成物または請求項４７に記載の組成物の使用。
【請求項５１】
ｉ）  それぞれ所定の無線コードを備える複数のビーズを提供する工程、
ｉｉ）  複数の球状無線識別ビーズを分析するために請求項１〜３７のいずれか一項に記載の装置を提供する工程、
ｉｉｉ）  工程ｉ）において提供される複数のビーズの少なくとも一つを、工程ｉｉ）において提供される装置の真空コンテナ捕獲体に接触させる工程、
ｉｖ）  該捕獲体を回転させて少なくとも一つのビーズを該真空コンテナの装填セクションから該真空コンテナの検出セクションに移動させる工程、および
ｖ）  該装置の検出デバイスを少なくとも一つのビーズの無線コードの決定に使用する工程
を包含する、複数のビーズの少なくとも一つの無線コードの検出方法。
【請求項５２】
ｉ）  それぞれ所定の無線コードを備える複数のビーズを提供する工程、
ｉｉ）  複数の球状無線識別ビーズを分析するために請求項１６〜３７のいずれか一項に記載の装置を提供する工程、
ｉｉｉ）  工程ｉ）において提供される複数のビーズの少なくとも一つを、工程ｉｉ）において提供される装置の真空コンテナ捕獲体に接触させる工程、
ｉｖ）  該捕獲体を回転させて少なくとも一つのビーズを該真空コンテナの装填セクションから該真空コンテナの検出セクションに移動させる工程、
ｖ）  少なくとも一つのビーズの無線コード検出に該装置の検出デバイスを使用する工程、
ｖｉ）  該検出デバイスによって生じるデータを分析するために該分析デバイスを使用する工程、および
ｖｉｉ）  該検出デバイスによって生じるデータを分析することによって複数のビーズの少なくとも一つを識別する工程、
を包含する、複数のビーズの少なくとも一つを識別する方法。
【請求項５３】
ｉ）  それぞれ所定の無線コードを備える複数のビーズを提供する工程、
ｉｉ）  複数のビーズを分類するために請求項１８〜３７のいずれか一項による装置を提供する工程、
ｉｉｉ）  工程ｉ）において提供される複数のビーズの少なくとも一つを、工程ｉｉ）において提供される装置の真空コンテナ捕獲体に接触させる工程、
ｉｖ）  該捕獲体を回転させて、該真空容器の装填セクションから該真空コンテナの検出セクションに少なくとも一つのビーズを移動させる工程、
ｖ）  該装置の検出デバイスを前記少なくとも一つのビーズの無線コードの検出に使用する工程、
ｖｉ）  該検出デバイスによって生じるデータを分析するために分析デバイスを使用する工程、および
ｖｉｉ）  工程ｖｉ）において行われる分析の結果に基づいて複数のビーズの少なくとも一つを分類する工程
を包含する、複数のビーズの少なくとも一つを分類する方法。
【請求項５４】
更に、該識別に基づいて複数のビーズの少なくとも一つを分類する工程を包含し、かつ、複数のビーズの少なくとも一つの分類に請求項１８〜３７のいずれか一項に記載の装置を使用する、請求項５３に記載の方法。
【請求項５５】
該検出デバイスが周波数２．２〜２．７ＧＨｚにおいて作動し、かつ、前記複数のビーズが前記周波数において電磁放射の吸収を有さないかまたは実質的に有さない液体中で懸濁される、請求項５１〜５４のいずれか一項に記載の方法。
【請求項５６】
ｉ）  それぞれ所定の無線コードを備える複数のビーズを提供する工程、
ｉｉ）  少なくとも一つのビーズを処理するために請求項２４〜３７のいずれか一項に記載の装置を提供する工程、
ｉｉｉ）  工程ｉ）において提供される複数のビーズの少なくとも一つを、工程ｉｉ）において提供される装置の真空コンテナ捕獲体に接触させる工程、
ｉｖ）  該捕獲体を回転させて少なくとも一つのビーズを該真空コンテナの装填セクションから該真空コンテナの検出セクションに移動させる工程、
ｖ）  少なくとも一つのビーズの無線コードの検出に該装置の検出デバイスを使用する工程、
ｖｉ）  該検出デバイスによって生じるデータを分析する工程、および
ｖｉｉ）  工程ｖｉ）において行われる分析の結果に基づいて複数のビーズの少なくとも一つを処理する工程
を包含する、複数のビーズ、例えば、ポリマービーズ、の少なくとも一つを処理する方法。
【請求項５７】
該検出デバイスが周波数２．２〜２．７ＧＨｚにおいて作動し、かつ、前記複数のビーズが前記周波数において電磁放射の吸収を有さないかまたは実質的に有さない液体中に懸濁される、請求項５１〜５６のいずれか一項に記載の方法。
【請求項５８】
該少なくとも一つのビーズの無線コードが１ミリ秒〜１秒の間に決定される、請求項３８〜５６のいずれか一項に記載の方法。
【請求項５９】
一時間あたり全部で１０，０００個以上のビーズである、請求項３８〜５８のいずれか一項に記載の方法。
【請求項６０】
複数のビーズの少なくとも一つを処理する工程が、化学的成分の反応に好適な反応条件下において少なくとも一つのビーズを少なくとも一つの化学的成分に暴露する工程を包含する、請求項５６に記載の方法。
【請求項６１】
ｉ）  複数のビーズのそれぞれの中に無線チップを固定する工程、
ｉｉ）  工程ａ）において提供されるビーズの少なくとも一部を、好ましくは自動選別によって、分離する工程、
ｉｉｉ）  それぞれのビーズに関して無線識別数を記録および記憶する工程、
ｉｖ）  該ビーズ上に存在する官能基において化合物を段階的に合成する工程であって、それぞれのビーズのアイデンティティがそれぞれの反応段階に関して記録および記憶される工程、並びに
ｖ）  個々の反応段階の記録をそれぞれのビーズに対して得る工程
を包含する、無線検出ビーズにおける化合物の段階的合成に関与する個々の反応段階の記録方法。
【請求項６２】
ｉ）  請求項６１に記載の記録方法を行う工程、
ｉｉ）  該ビーズ上で合成された化合物に関して選択性であるアッセイまたは診断画面を使用することによって関心のあるビーズを選択する工程、
ｉｉｉ）  工程ｉｉ）において選択されるそれぞれのビーズに対して無線コードを記録する工程、
ｉｖ）  工程ｉｉｉ）において記録される無線コードと請求項６１の工程ｉｉｉ）において記録および記憶される全ての無線コードとを比較し、それによって選択されたビーズのアイデンティティに関する情報を得る工程、
ｖ）  それぞれの選択ビーズに対して該化合物の合成を引き起こした一連の個々の段階を特定する工程、並びに
ｖｉ）  該一連の個々の段階に基づいて、該化合物の化学構造を特定する工程
を包含する、無線検出ビーズ上で合成された化合物の特定方法。
【請求項６３】
一以上の共振空胴を備え、該一以上の共振空胴それぞれの寸法が超音波共振周波数２０ｋＨｚ以上を生じさせる、埋め込まれた超音波識別チップを含有する球状ポリマービーズ。
【請求項６４】
該一以上の共振空胴のそれぞれが共振周波数２０〜１０，０００ｋＨｚ、例えば１００〜１０，０００ｋＨｚ、特に５００〜８，０００ｋＨｚまたは１００〜２，５００ｋＨｚを生じさせる、請求項６３に記載のビーズ。
【請求項６５】
超音波識別チップがトップコーティング層（１９０１）、それぞれ空胴の壁を形成している少なくとも一つの通り抜け孔を有する微細構造層（１９０２）、およびシール層（１９０３）を備え、該トップコーティング層および該シール層が前記空胴のそれぞれの端壁を形成している、請求項６３〜６４のいずれか一項に記載のビーズ。